(57)【特許請求の範囲】
【請求項１】
ヘルメット帽体と、該ヘルメット帽体の内部に配設され、頭部に装着させるヘルメット装着具とを備えたヘルメットであって、
前記ヘルメット装着具は、前記頭部の頭頂部周辺に配設されるハンモックと、該ハンモックの一部に連続して前記頭部の周囲を囲繞するように配設されるヘッドバンドとを備え、
前記ハンモックは、前記頭頂部を抑える頭頂抑え部と該頭頂抑え部から延長された複数の略帯状の延長片部と該延長片部の先端部に形成された嵌合片部とを有しており、該嵌合片部が前記ヘルメット帽体の内部に形成された被嵌合部にそれぞれ嵌合されることで、前記ヘルメット装着具が前記ヘルメット帽体の内部に配設されるようになっており、
前記嵌合片部には載置用係合部が形成されており、前記ヘルメット帽体の外部の少なくとも一部には、該ヘルメット帽体の上に同一構成の前記ヘルメットを積み重ねた際に該ヘルメットの前記載置用係合部が当接される載置用被係合部が形成されたことを特徴とするヘルメット。
【請求項２】
前記載置用係合部が３つ以上であるとともに、前記載置用被係合部が３つ以上であることを特徴とする請求項１に記載のヘルメット。
【請求項３】
前記ヘルメット帽体は樹脂により一体成形されたことを特徴とする請求項１又は２に記載のヘルメット。
【発明の詳細な説明】
【技術分野】
【０００１】
本発明は、ヘルメットに関し、さらに詳しくは、防災用、工事用、スポーツ用など各種の用途において、頭部に装着して落下物その他の衝撃から頭部を保護するためのヘルメットに関するものである。
【背景技術】
【０００２】
この種のヘルメットは、如何なる状況でも装着者の頭部を確実に保護するため、装着者の頭部にしっかり固定される必要がある。従来、こうしたヘルメットとしては、ハンモックおよびヘッドバンドからなるヘルメット装着具をヘルメット帽体の内部に配設したものが知られている（例えば、特許文献１、２参照）。
【先行技術文献】
【特許文献】
【０００３】
【特許文献１】特開平１０−８８４１４号公報
【特許文献２】特開２００６−１３８０３９号公報
【発明の概要】
【発明が解決しようとする課題】
【０００４】
しかしながら、このような従来のヘルメットでは、複数のヘルメットを上下方向に積み重ねると、上側のヘルメットと下側のヘルメットとの積層状態が不安定になりやすく、特にヘルメットの数（段数）が多い場合には、ヘルメットがずり落ちて荷崩れを起こしやすくなる。
【０００５】
したがって、複数のヘルメットをまとめて流通させたり保管・陳列したりする際の利便性に優れないという課題があった。
【０００６】
本発明は、このような事情に鑑み、複数のヘルメットをまとめて流通させたり保管・陳列したりする際の利便性を向上させることが可能なヘルメットを提供することを目的とする。
【課題を解決するための手段】
【０００７】
かかる目的を達成するため、請求項１に記載の発明は、ヘルメット帽体と、該ヘルメット帽体の内部に配設され、頭部に装着させるヘルメット装着具とを備えたヘルメットであって、前記ヘルメット装着具は、前記頭部の頭頂部周辺に配設されるハンモックと、該ハンモックの一部に連続して前記頭部の周囲を囲繞するように配設されるヘッドバンドとを備え、前記ハンモックは、前記頭頂部を抑える頭頂抑え部と該頭頂抑え部から延長された複数の略帯状の延長片部と該延長片部の先端部に形成された嵌合片部とを有しており、該嵌合片部が前記ヘルメット帽体の内部に形成された被嵌合部にそれぞれ嵌合されることで、前記ヘルメット装着具が前記ヘルメット帽体の内部に配設されるようになっており、前記嵌合片部には載置用係合部が形成されており、前記ヘルメット帽体の外部の少なくとも一部には、該ヘルメット帽体の上に同一構成の前記ヘルメットを積み重ねた際に該ヘルメットの前記載置用係合部が当接される載置用被係合部が形成されたことを特徴とする。
【０００８】
また、請求項２に記載の発明は、請求項１に記載の構成に加え、前記載置用係合部が３つ以上であるとともに、前記載置用被係合部が３つ以上であることを特徴とする。
【０００９】
また、請求項３に記載の発明は、請求項１又は２に記載の構成に加え、前記ヘルメット帽体は、樹脂により一体成形されたことを特徴とする。
【発明の効果】
【００１０】
請求項１に記載の発明によれば、ヘルメット帽体の外部の少なくとも一部に、同一のヘルメットを積み重ねた際にヘルメットのハンモックにおける嵌合片部に形成された載置用係合部が当接される載置用被係合部が形成されたことにより、同一のヘルメットを複数積み重ねた際に一のヘルメットを他のヘルメットの載置用被係合部上で固定し、同一のヘルメットを複数積み重ねた際に積層状態を安定させて荷崩れを防止できる。しかも、一のヘルメットのハンモックにおいてヘルメット帽体に固定された嵌合片部に形成された載置用係合部を、他のヘルメット帽体の載置用被係合部上に載置させることで、容易には可動しない固定された安定した状態の部位同士を係合させることとなるため、より積層状態を安定させて荷崩れを防止することができる。これにより、複数のヘルメットをまとめて流通させたり保管・陳列したりする際の利便性を向上させることが可能となる。
【００１１】
請求項２に記載の発明によれば、載置用係合部および載置用被係合部がいずれも３つ以上であるため、複数のヘルメットを上下方向に積み重ねた場合に、下側のヘルメットに対して上側のヘルメットが３点以上で確実に支持される。したがって、複数のヘルメットを上下方向に積み重ねた場合の安定性を一層向上させることができる。
【００１２】
請求項３に記載の発明によれば、ヘルメット帽体が樹脂により一体成形されているので、製造ラインによる大量生産に適したヘルメット帽体を提供し、ヘルメット帽体の製造時の歩留まりを高めて製造コストを抑制することが可能となる。
【図面の簡単な説明】
【００１３】
【図１】本発明の実施の形態１に係るヘルメットの斜視図である。
【図２】同実施の形態１に係るヘルメットの背面図である。
【図３】同実施の形態１に係るヘルメットの底面図である。
【図４】同実施の形態１に係るヘルメットにおけるヘルメット帽体の被嵌合部を内部側から見た斜視図である。
【図５】図４の被嵌合部にハンモックの嵌合片部を嵌合させた状態を内部側から見た斜視図である。
【図６】同実施の形態１に係るヘルメットを２つ上下方向に積み重ねた状態を示す側面図である。
【図７】図６から上側のヘルメットのヘルメット帽体の一部を切り取った状態を示す側面図である。
【図８】図６のＡ−Ａ線による拡大端面図である。
【図９】図６のＢ−Ｂ線による拡大端面図である。
【発明を実施するための形態】
【００１４】
以下、本発明の実施の形態について説明する。
［発明の実施の形態１］
図１乃至図９には、本発明の実施の形態１を示す。
【００１５】
実施の形態１に係るヘルメット１は、図１乃至図３に示すように、工事用、各種作業用、或いは防災用のものであり、強度および剛性に優れた合成樹脂（例えば、ＡＢＳ樹脂など）により一体成形された略半球形のヘルメット帽体２を有している。このヘルメット帽体２は、有色不透明、有色透明または無色透明であり、ヘルメット１の装着者の頭部の形状に対応した形状の帽体本体３と、この帽体本体３の周縁から水平方向に突出する形で一体に形成された庇部５とから構成されている。さらに、帽体本体３は、帽体前部６および帽体後部７から構成されている。ここで、ヘルメット帽体２は、左右対称に形成されているとともに、前後非対称に形成されている。
【００１６】
また、帽体前部６の内面下部には、図４に示すように、左右一対の「被嵌合部」としての前方被嵌合部１２が設けられている。この前方被嵌合部１２は、ヘルメット帽体２の内面２Ａを外側に切り欠いて形成された凹部１２Ａを有しており、図５に示すように、後述するハンモック３０の前方嵌合片部３３がここに嵌合するようになっている。具体的には、前方被嵌合部１２においては、凹部１２Ａに後述するハンモック３０の前方嵌合片部３３をヘルメット帽体２の下方から差し込み、凹部１２Ａのヘルメット帽体２における前後の壁１２Ｄで前方嵌合片部３３の前後方向への移動を規制し、当該前後の壁１２Ｄから内面２Ａと略面一で前後方向に板面状に延出された押さえ部１２Ｂで前方嵌合片部３３の内部側への移動を規制し、凹部１２Ａの略中央部に突出形成された係合片１２Ｃが図８に示すように前方嵌合片部３３の係合溝３３Ａに係合することにより、前方嵌合片部３３の図４中上方への移動を規制するようになっており、これらにより前方嵌合片部３３が前方被嵌合部１２に嵌合され、その結果、ハンモック３０がヘルメット帽体２の内面２Ａに固定されるようになっている。
【００１７】
また、帽体前部６の外面には、図１に示すように、左右一対の「載置用被係合部」としての前方載置用被係合部１０が庇部５に跨る形で凸設されている。
【００１８】
また、帽体後部７の内面下部には、図４に示すように、左右一対の「被嵌合部」としての後方被嵌合部１３が設けられている。この後方被嵌合部１３は、ヘルメット帽体２の内面２Ａから内側に突出する断面略くの字状の左右一対の押さえ部１３Ｂで、図５に示すように、後述するハンモック３０の後方嵌合片部３４を係止する係止部１３Ａを形成しており、ここに後述するハンモック３０の後方嵌合片部３４をヘルメット帽体２に図４中上方から差し込み、前後左右方向への移動を規制し、係止部１３Ａにおける内面２Ａから内側に突出形成された係合片１３Ｃが図９に示すように後方嵌合片部３４の係合溝３４Ａに係合することにより、後方嵌合片部３４の図４中上方への移動を規制するようになっている。そして、これらにより後方嵌合片部３４が後方被嵌合部１３に嵌合され、その結果、ハンモック３０がヘルメット帽体２の内面２Ａに固定されるようになっている。
【００１９】
また、ヘルメット帽体２の外面には、図１および図２に示すように、段差部１４が帽体本体３のほぼ全周にわたって形成されており、段差部１４は後方に向かうに従って下がるように傾斜している。そして、この段差部１４には、帽体後部７側に、左右一対、「載置用被係合部」としての後方載置用被係合部１１が凹設されている。
【００２０】
さらに、帽体本体３の頭頂部（帽体前部６と帽体後部７との境界）には、図２に示すように、換気部９が設けられている。この換気部９は、ほぼ垂直方向に立設された横長平板状の壁部９ａと、この壁部９ａにヘルメット帽体２の内外を連通するように等間隔で形成された複数の通気孔９ｂとから構成されている。
【００２１】
また、庇部５は、図１および図３に示すように、左右対称に形成されているとともに、前後非対称に形成されており、その前部５ａの突出量が他の部分より大きくなっている。
【００２２】
また、図３に示すように、ヘルメット帽体２の内部には、このヘルメット帽体２を装着者の頭部に固定するためのヘルメット装着具２０が配設されている。このヘルメット装着具２０は、合成樹脂製（例えば、ポリエチレン製）のハンモック３０と、このハンモック３０と同じ素材によって装着者の頭部に沿うようにほぼ円環状に形成されたヘッドバンド４０から構成されている。
【００２３】
このうちハンモック３０は、装着者の頭頂部に接触して当該頭頂部を押さえるためのものであり、ヘルメット帽体２の頭頂部の近傍に位置するように帽体本体３に取り付けられている。また、ハンモック３０は、装着者の頭頂部を抑える頭頂抑え部３１と、この頭頂抑え部３１から複数延長された計４本の略帯状の延長片部３２とを有し、これら各延長片部３２の先端部には、延長片部３２の幅方向に張り出した前方嵌合片部３３及び後方嵌合片部３４が設けられている。これら４つの嵌合片部３３、３４は、前記したように、図４、５に示すヘルメット帽体２の内部の被嵌合部１２、１３にそれぞれ嵌合されて、これにより図３に示すように、ヘルメット装着具２０がヘルメット帽体２の内部に配設された状態が形成されることになる。
【００２４】
また、ハンモック３０の前方嵌合片部３３と後方嵌合片部３４の先端（下部）には、それぞれ、前方載置用係合部３５と後方載置用係合部３６が設けられており、前記したヘルメット帽体２の前方載置用被係合部１０と後方載置用被係合部１１に当接してヘルメット１が積み重ねられるようになっている。
【００２５】
詳述すると、前方載置用係合部３５は、凹形状に形成されており、凸形状に形成された前方載置用被係合部１０と係合するようになっている。また、後方載置用係合部３６は、凸形状に形成されており、凹形状に形成された後方載置用被係合部１１と係合するようになっている。
【００２６】
一方、ヘッドバンド４０は、図３に示すように、装着者の頭部を周囲から挟持するためのものであり、装着者の頭部の大きさに応じて拡縮自在になるようにハンモック３０に取付け部４０Ａにより取り付けられている。このヘッドバンド４０は、前側部分と後側部分とが図示省略の伸縮自在な連結部材により連結されると共に、顎紐（図示せず）が付設されており、この顎紐を引くことにより、ヘッドバンド４０を縮小させて装着者の頭部に密着させるとともに、逆に、この顎紐を緩めることにより、ヘッドバンド４０を拡大させて装着者の頭部に対する密着状態を解除することができるように構成されている。
【００２７】
次に、このヘルメット１の使用方法について説明する。
【００２８】
まず、このヘルメット１を頭部に装着する際には、ヘルメット装着具２０のヘッドバンド４０が拡大した状態で、ヘルメット帽体２の帽体前部６を前にして頭部にヘルメット１を被る。すると、装着者の頭頂部はヘルメット装着具２０のハンモック３０に接触して上から押さえられた状態となる。
【００２９】
この状態で、顎紐を引いてヘルメット装着具２０のヘッドバンド４０を縮小させる。すると、このヘッドバンド４０は装着者の頭部に密着した状態となる。その結果、ヘルメット１は、ヘルメット装着具２０によって装着者の頭部にしっかり固定された状態となる。したがって、このヘルメット１により、装着者の頭部を確実に保護することが可能となる。
【００３０】
逆に、このヘルメット１を頭部から取り外す際には、顎紐を緩めてヘルメット装着具２０のヘッドバンド４０を拡大させる。すると、ヘルメット装着具２０のヘッドバンド４０は、装着者の頭部に対する密着状態が解除された状態となる。この状態で、ヘルメット１を持ち上げて頭部から取り外す。
【００３１】
また、このヘルメット１を複数まとめて流通させたり保管したりする際には、次の手順により、これらのヘルメット１を順に上下方向に積み重ねる。
【００３２】
まず、図６に示すように、作業台１５の上に１つ目のヘルメット１Ａを置き、このヘルメット１Ａの上に２つ目のヘルメット１Ｂを置く。このとき、２つ目のヘルメット１Ｂについては、予めヘルメット装着具２０のヘッドバンド４０を拡大させておく。そして、図６〜図９に示すように、上側に位置するヘルメット１Ｂの前方載置用係合部３５および後方載置用係合部３６をそれぞれ、下側に位置するヘルメット１Ａの前方載置用被係合部１０および後方載置用被係合部１１に接触させて係合させる。すると、下側に位置する１つ目のヘルメット１Ａに対して、上側に位置する２つ目のヘルメット１Ｂが、ほぼ真上でほぼ水平に支持された状態となる。
【００３３】
このとき、上側に位置するヘルメット１Ｂは、ヘルメット装着具２０のヘッドバンド４０が拡大した状態になっているので、上側のヘルメット１Ｂの前方載置用係合部３５および後方載置用係合部３６と下側のヘルメット１Ａの前方載置用被係合部１０および後方載置用被係合部１１との接触が、上側のヘルメット１Ｂのヘルメット装着具２０に邪魔される事態を回避できるばかりでなく、２つのヘルメット１Ａ、１Ｂの積層高さＨを低く抑えることができる（図６参照）。
【００３４】
また、左右一対の後方載置用被係合部１１は、上述したとおり、帽体後部７の外面に傾斜して形成された段差部１４の後方の低い位置に凹設されているので、ヘルメット１Ａの上にヘルメット１Ｂを載置するときに、上側のヘルメット１Ｂの後方載置用係合部３６が下側のヘルメット１Ａの段差部１４に案内されて後方載置用被係合部１１に嵌合し易くなる。その結果、このヘルメット１Ｂの載置作業を迅速かつ正確に行うことが可能となる。
【００３５】
次いで、２つ目のヘルメット１Ｂの上に３つ目のヘルメット（図示せず）を置く。このときも、上側に位置するヘルメットの前方載置用係合部および後方載置用係合部をそれぞれ、下側に位置するヘルメット１Ｂの前方載置用被係合部１０および後方載置用被係合部１１に接触させて係合させる。すると、下側に位置する２つ目のヘルメット１Ｂに対して、上側に位置する３つ目のヘルメットが、ほぼ真上でほぼ水平に支持された状態となる。
【００３６】
以下同様にして、すべてのヘルメット１を上下方向に積み重ねる。
【００３７】
そうすると、１つ目のヘルメット１Ａに対して、その上側に位置するすべてのヘルメット１が、ほぼ真上でほぼ水平に支持されて積み重なった状態となる。したがって、上下方向に積み重ねるヘルメット１の数（段数）が多くても、これらのヘルメット１の積層状態が高い安定性を示し、ヘルメット１の荷崩れを防止することができる。その結果、複数のヘルメット１をまとめて流通させたり保管・陳列したりする際の利便性を向上させることが可能となる。
【００３８】
また、ヘルメット１は、上述したとおり、ヘルメット帽体２の外面に４つの載置用被係合部（２つの前方載置用被係合部１０および２つの後方載置用被係合部１１）が設けられているとともに、ハンモック３０の下部に４つの載置用係合部（２つの前方載置用係合部３５および２つの後方載置用係合部３６）が設けられているため、複数のヘルメット１を上下方向に積み重ねた場合に、下側のヘルメット１に対して上側のヘルメット１を４点支持で確実に支持することができる。したがって、複数のヘルメット１を上下方向に積み重ねた場合の安定性を一層向上させることが可能となる。
【００３９】
さらに、複数のヘルメット１を積み重ねる場合にヘルメット１同士を位置決めするための載置用係合部３５、３６および載置用被係合部１０、１１が、いずれもヘルメット帽体２とハンモック３０の嵌合片部３３、３４という容易に揺れ動かない固定された部位に設けられているので、複数のヘルメット１を積み重ねる場合に、ヘルメット１同士の位置決めを正確に行うことが可能となる。
【００４０】
しかも、ヘルメット帽体２は、上述したとおり、左右一対の後方載置用被係合部１１が段差部１４に凹設されているため、これらの後方載置用被係合部１１の存在がヘルメット帽体２の外観に大きな影響を与えることはなく、ヘルメット帽体２の設計の自由度を高めることができる。
【００４１】
さらに、ヘルメット１は、上述したとおり、ヘルメット帽体２が合成樹脂により一体成形されているので、製造ラインによる大量生産に適したヘルメット帽体２を提供し、ヘルメット帽体２の製造時の歩留まりを高めて製造コストを抑制することが可能となる。
【００４２】
また、ヘルメット１は、上述したとおり、ヘルメット帽体２の帽体本体３の頭頂部、つまり装着者の頭部で発生した熱が籠もりやすい部位に換気部９が設けられているため、この熱をヘルメット１の装着中に換気部９の通気孔９ｂからヘルメット帽体２の外部に排出することができる。したがって、このヘルメット１を装着して工事を行う場合には、ヘルメット１の装着者の頭部が高温になってしまう事態を抑制しつつ作業を継続することが可能となる。
【００４３】
しかも、この換気部９は、上述したとおり、ほぼ垂直方向の壁部９ａに通気孔９ｂが形成された構造、つまり通気孔９ｂが上方に向けて開口していない構造を有しているので、ヘルメット１を被った状態で雨水が換気部９の通気孔９ｂを通ってヘルメット帽体２の内部に入り込む不都合の発生を回避することができる。
［発明のその他の実施の形態］
なお、前方載置用被係合部１０、後方載置用被係合部１１、前方載置用係合部３５、後方載置用係合部３６については、複数のヘルメット１を上下方向に積み重ねた場合に、前方載置用被係合部１０と前方載置用係合部３５とが互いに係合するとともに、後方載置用被係合部１１と後方載置用係合部３６とが互いに係合するものであれば、上述した形状に限定されるわけではなく、凹凸形状等は適宜選択できる。
【００４４】
また、上述した実施の形態１では、前方載置用被係合部１０及び後方載置用被係合部１１がヘルメット帽体２に一体成形されているが、これに限らず、それらを別体とすることもできる。この場合には、それら係合部１０、１１の材質や色などの特性を帽体本体３と異なるものとすることができる。例えば、柔軟性を持たせることにより衝撃吸収性を向上させたり、それら係合部１０、１１を目立つ色とすることにより、係合させる際に、係合させ易くすることもできる。
【００４５】
また、上述した実施の形態１では、前方載置用係合部３５及び後方載置用係合部３６がハンモック３０の延長片部３２と一体成形されているが、これに限らず、それらを別体とすることもできる。この場合には、それら係合部３５、３６の材質や色などの特性をハンモック３０と異なるものとすることができる。例えば、柔軟性を持たせることにより衝撃吸収性を向上させたり、それら係合部３５、３６を目立つ色とすることにより、係合させる際に、係合させ易くすることもできる。
【００４６】
また、上述した実施の形態１では、複数のヘルメット１を上下方向に積み重ねた場合に、下側のヘルメット１に対して上側のヘルメット１を４点支持で確実に支持すべく、ヘルメット帽体２に、４つの載置用被係合部（２つの前方載置用被係合部１０および２つの後方載置用被係合部１１）を設けるとともに、ハンモック３０に、４つの載置用係合部（２つの前方載置用係合部３５および２つの後方載置用係合部３６）を設けたヘルメット１について説明した。しかし、これらの載置用係合部および載置用被係合部の数は、複数のヘルメット１を積み重ねた場合の安定性等を確保できれば、適宜増減させることができる。
【００４７】
また、上述した実施の形態１では、合成樹脂により一体成形されたヘルメット帽体２を備えたヘルメット１について説明したが、ヘルメット帽体２の構成は、これに限るわけではない。例えば、折り畳み式のヘルメット帽体（すなわち、平板状態で形状が安定する部材で成形された複数枚の板材を備え、折り畳んだ状態でこれらの板材が扁平状態となり、展開した状態で頭部に被れる形状となる構造のヘルメット帽体）を備えたヘルメットに本発明を同様に適用することもできる。
【００４８】
さらに、上述した実施の形態１では、工事用、各種作業用、或いは防災用のヘルメット１について説明したが、その他の用途（例えば、スポーツ用、乗車用、警察用、消防用など）に使用されるヘルメットに本発明を同様に適用することも可能である。
【００４９】
上記実施の形態は本発明の例示であり、本発明が上記実施の形態に限定されることを意味するものではないことは、いうまでもない。
【符号の説明】
【００５０】
１・・・ヘルメット
２・・・ヘルメット帽体
１０・・・前方載置用被係合部（載置用被係合部）
１１・・・後方載置用被係合部（載置用被係合部）
１２・・・前方被嵌合部（被嵌合部）
１３・・・後方被嵌合部（被嵌合部）
２０・・・ヘルメット装着具
３０・・・ハンモック
３１・・・頭頂抑え部
３２・・・延長片部
３３・・・前方嵌合片部（嵌合片部）
３４・・・後方嵌合片部（嵌合片部）
３５・・・前方載置用係合部（載置用係合部）
３６・・・後方載置用係合部（載置用係合部）
４０・・・ヘッドバンド
【図１】
0006414963.tif 000002
【図２】
0006414963.tif 000003
【図３】
0006414963.tif 000004
【図４】
0006414963.tif 000005
【図５】
0006414963.tif 000006
【図６】
0006414963.tif 000007
【図７】
0006414963.tif 000008
【図８】
0006414963.tif 000009
【図９】
0006414963.tif 000010